(57)【要約】【課題】本発明は、脱型を容易に行うことができるとともに、型枠の形状を容易に復元させることができ復元性に優れるとともに作業性に優れ、さらにカルバートの長手方向の全長に渡って躯体寸法や躯体形状を同一にすることができ施工性に著しく優れるカルバート内型枠を提供することを目的とする。【解決手段】本発明のカルバート内型枠は、支保工の下部に配設された移動手段を備えたカルバート内型枠であって、前記支保工の上部梁と側部枠との間に配設されたハンチ梁と、前記ハンチ梁の上側に固定されたハンチ堰板と、前記上部梁に固定された上部堰板又は前記上部梁の端部と前記ハンチ堰板又は前記ハンチ梁の上部との間に挟装された弾性を有する第１形状保持部材と、を備える。【選択図】  図１
2004250973.tif 000002
【特許請求の範囲】
【請求項１】
伸縮自在に形成された支柱と、前記支柱の上部で支持された上部梁と、前記支柱の所定部に固定され伸縮自在に形成された伸縮梁と、前記伸縮梁の両端で支持された側部枠と、を有する支保工と、前記支保工の下部に配設された移動手段と、前記上部梁の上側に固定された上部堰板と、前記側部枠の外側に固定された側部堰板と、を備えたカルバート内型枠であって、
前記上部梁と前記側部枠との間に配設されたハンチ梁と、前記ハンチ梁の上側に固定されたハンチ堰板と、前記上部堰板又は前記上部梁の端部と前記ハンチ堰板又は前記ハンチ梁の上部との間に挟装された弾性を有する第１形状保持部材と、を備えていることを特徴とするカルバート内型枠。
【請求項２】
前記ハンチ堰板又は前記ハンチ梁の下部と前記側部枠又は前記側部堰板の上部との間に挟装された弾性を有する第２形状保持部材を備えていることを特徴とする請求項１に記載のカルバート内型枠。
【請求項３】
前記側部堰板の下部に配設固定され前記側部堰板又は前記側部枠の下部が摺接された側部堰板補助部を備えていることを特徴とする請求項１又は２に記載のカルバート内型枠。
【請求項４】
前記側部枠又は前記側部堰板の下部と前記支保工の下部との間に下部引締部が配設されていることを特徴とする請求項１乃至３の内いずれか１に記載のカルバート内型枠。
【請求項５】
対向する前記側部堰板又は前記側部枠の対角方向に１乃至複数本の対角引締部が配設されていることを特徴とする請求項１乃至４の内いずれか１に記載のカルバート内型枠。
【請求項６】
前記支柱の上部又は前記上部梁と前記側部堰板又は前記側部枠の所定部との間に下がり止め部が配設されていることを特徴とする請求項１乃至５の内いずれか１に記載のカルバート内型枠。
【請求項７】
前記支保工が、前記側部堰板の側面から少なくとも一部が張り出すガイド手段が移動時に配設固定されるガイド手段固定部を備えていることを特徴とする請求項１乃至６の内いずれか１に記載のカルバート内型枠。
【請求項８】
前記上部堰板又は前記上部梁の幅方向の中心から下垂した下げ振りを備えていることを特徴とする請求項１乃至７の内いずれか１に記載のカルバート内型枠。
【発明の詳細な説明】
【０００１】
【発明の属する技術分野】
本発明は、道路、鉄道、堤防等の下に埋設される用水や排水等の水路，地下道，坑道等のカルバートを施工するカルバート内型枠に関するものである。
【０００２】
【従来の技術】
従来より、道路、鉄道、堤防等の下に埋設される用水や排水等の水路，地下道，坑道等のカルバートは、施工現場に設置された外型枠と移動可能に形成された内型枠との間にコンクリートを打設してカルバートの一部であるコンクリート躯体を構築し、コンクリートが硬化した後に内型枠を縮小させて脱型するとともにコンクリート躯体内を長手方向に移動させて新たな内型枠として設置し、順次コンクリートを打設してコンクリート躯体を延設してカルバートを構築していく型枠工法によって施工されてきた。カルバートの施工に用いられる移動式の内型枠として、種々のものが開発されている。
【０００３】
従来の技術としては、例えば、（特許文献１）に「打設されたコンクリートの自重により湾曲可能に形成されたスラブ型枠と、スラブ型枠の端部に傾動自在に設けられた側壁型枠と、伸縮自在に形成されスラブ型枠を支持する支柱と、を備えた内型枠装置」が開示されている。
【０００４】
（特許文献２）には、「略門形に形成された上部枠材及び側部枠材と、略門形の内部に移動自在にかつジャッキを配して伸縮自在に形成された支持台車と、を備え、上部枠材の中央部に折曲自在に形成されジャッキに連繋された連結ヒンジ部と、を備えたカルバート内型枠。」が開示されている。
【０００５】
【特許文献１】
特公昭６２−１８６９４号公報
【特許文献２】
特公平６−６３３６５号公報
【０００６】
【発明が解決しようとする課題】
しかしながら上記従来の技術においては、以下のような課題を有していた。
（１）（特許文献１）に開示の技術は、スラブ型枠が打設されたコンクリートの自重により下方に湾曲可能に形成されているので、スラブ型枠に疲労が生じ曲ったり崩壊したりするおそれがあるという課題を有していた。
（２）また、スラブ型枠と側壁型枠とがピンにより枢着されているだけでスラブ型枠と側壁型枠との角度等を元通りに修復して型枠の形状を復元する位置決め手段等が設けられていないので、脱型時には側壁型枠を内向に傾動することにより内型枠装置を縮径させて打設されたコンクリート躯体内を移動させることはできる。しかし、新たな内型枠として設置するときにスラブ型枠と側壁型枠との角度等を元通りに修復して型枠の形状を復元させ難いので作業性に著しく欠けるとともに、カルバートの長手方向の全長に渡って躯体寸法や躯体形状を同一にすることができず施工性に著しく欠けるという課題を有していた。
（３）（特許文献２）に開示の技術は、上部枠材の中央部に連結ヒンジ部が形成されているので、構成が複雑化するとともに支保工が重量を有し、コンクリート躯体内の移動時には牽引装置等の大型機械等を用いて牽引して移動させなければならないという課題を有していた。
【０００７】
本発明は上記従来の課題を解決するもので、脱型を容易に行うことができるとともに、型枠の形状を容易に復元させることができ復元性に優れるとともに作業性に優れ、さらにカルバートの長手方向の全長に渡って躯体寸法や躯体形状を同一にすることができ施工性に著しく優れるカルバート内型枠を提供することを目的とする。
【０００８】
【課題を解決するための手段】
上記従来の課題を解決するために本発明のカルバート内型枠は、以下の構成を有している。
【０００９】
本発明の請求項１に記載のカルバート内型枠は、伸縮自在に形成された支柱と、前記支柱の上部で支持された上部梁と、前記支柱の所定部に固定され伸縮自在に形成された伸縮梁と、前記伸縮梁の両端で支持された側部枠と、を有する支保工と、前記支保工の下部に配設された移動手段と、前記上部梁の上側に固定された上部堰板と、前記側部枠の外側に固定された側部堰板と、を備えたカルバート内型枠であって、前記上部梁と前記側部枠との間に配設されたハンチ梁と、前記ハンチ梁の上側に固定されたハンチ堰板と、前記上部堰板又は前記上部梁の端部と前記ハンチ堰板又は前記ハンチ梁の上部との間に挟装された弾性を有する第１形状保持部材と、を備えた構成を有している。
この構成により、以下のような作用が得られる。
（１）上部堰板又は上部梁の端部とハンチ堰板又はハンチ梁の上部との間に挟装された弾性を有する第１形状保持部材を備えているので、脱型時に伸縮梁を収縮するとともに側部堰板の下部を内側に引張り、第１形状保持部材を略中心とするてこの作用により上部堰板とハンチ梁とのなす角を小さくして第１形状保持部材の弾性に応じて第１形状保持部材を圧縮させて、ハンチ堰板及び側部堰板とコンクリート躯体との間に隙間を形成し脱型させることができる。さらに、支柱を収縮することで上部堰板とコンクリート躯体との間にも隙間を形成することができ脱型を容易に行うことができる。
（２）支保工の下部に配設された移動手段を用いてコンクリート躯体内を移動させ新たな内型枠として設置するときには、支柱と伸縮梁を伸長するとともに側部堰板の下部に内向きに加えた力を除去するか外向きに力を加えることで、第１形状保持部材の弾性によりハンチ堰板とハンチ堰板とのなす角を元通りに修復して型枠の形状を容易に復元させることができ復元性に優れるとともに作業性に優れる。これにより、カルバートの長手方向の全長に渡って躯体寸法や躯体形状を同一にすることができ施工性に著しく優れる。
【００１０】
ここで、第１形状保持部材としては、弾性を有する木製，合成樹脂製，硬質ゴム製等で形成されたものが用いられる。なかでも、第１形状保持部材の脱型時の弾性変形角が、０．０１〜０．１０°になるように形成されたものが好適に用いられる。弾性変形角が０．０１°より小さくなるにつれ脱型時に生じるコンクリート躯体とハンチ堰板等との隙間が小さく脱型が困難になるとともに、隙間が小さいので脱型後コンクリート躯体の長手方向を移動させるときにコンクリート躯体の内壁と型枠とが擦れ合い易くコンクリート躯体や堰板を傷め易くなる傾向がみられ、０．１０°より大きくなるにつれ軽微な力で容易に変形し易いので復元性が乏しくなる傾向がみられるため、いずれも好ましくない。
【００１１】
請求項２に記載の発明は、請求項１に記載のカルバート内型枠であって、前記ハンチ堰板又は前記ハンチ梁の下部と前記側部枠又は前記側部堰板の上部との間に挟装された弾性を有する第２形状保持部材を備えた構成を有している。
この構成により、請求項１で得られる作用に加え、以下のような作用が得られる。
（１）ハンチ堰板又はハンチ梁の下部と側部堰板又は側部枠の上部との間に挟装された弾性を有する第２形状保持部材を備えているので、脱型時に側部堰板の下部を内側に引張り、第２形状保持部材を略中心とするてこの作用によりハンチ梁と側部堰板のなす角を小さくして第２形状保持部材の弾性に応じて第２形状保持部材を圧縮させて、側部堰板とコンクリート躯体との間により大きな隙間を形成し脱型を容易にすることができる。
（２）側部堰板とコンクリート躯体との間により大きな隙間を形成することができるので、脱型時に側部堰板の下部に内向きに加え側部堰板等を傾倒させる力を軽減することができ作業性に優れる。
【００１２】
ここで、第２形状保持部材としては、請求項１で説明した第１形状保持部材と同様のものを用いることができるので、説明を省略する。
【００１３】
請求項３に記載の発明は、請求項１又は２に記載のカルバート内型枠であって、前記側部堰板の下部に配設固定され前記側部堰板又は前記側部枠の下部が摺接された側部堰板補助部を備えた構成を有している。
この構成により、請求項１又は２で得られる作用に加え、以下のような作用が得られる。
（１）側部堰板等の下部が摺接された側部堰板補助部を備えているので、脱型時に側部堰板の下部を軽微な力で内側に引張るだけで側部堰板等が摺動されて第１形状保持部材や第２形状保持部材を略中心としてハンチ梁と上部堰板等とのなす角を小さくすることができ、脱型が容易になり作業性に優れる。
（２）側部堰板等が側部堰板補助部を摺動して側部堰板補助部の上面から側部堰板等の下部が外れると、コンクリート躯体を形成するために立設された側部堰板と側部堰板補助部を加えた高さが側部堰板補助部の高さの分だけ低くなるので、支柱を収縮することで上部堰板とコンクリート躯体との間にも隙間を形成することができ脱型を容易に行うことができる。
【００１４】
ここで、側部堰板補助部としては、上面が水平面又は内側に傾斜した傾斜面を有し側部枠等の下部が摺接された支持部と、支持部の外面側に配設固定された補助堰板と、を備えたものが好適に用いられる。支持部としては、木製，金属製，合成樹脂製等で形成されたものを用いることができる。なかでも、支持部の上面に金属製や合成樹脂製等の薄板等で形成された平滑部材を配設固定したものが好適に用いられる。側部堰板や側部枠の下部との摩擦係数を小さくして側部堰板補助部の上を摺動し易くするためである。
【００１５】
本発明の請求項４に記載の発明は、請求項１乃至３の内いずれか１に記載のカルバート内型枠であって、前記側部枠又は前記側部堰板の下部と前記支保工の下部との間に下部引締部が配設された構成を有している。
この構成により、請求項１乃至３の内いずれか１で得られる作用に加え、以下のような作用が得られる。
（１）側部枠又は側部堰板の下部と支保工の下部との間に下部引締部が配設されているので、脱型時に下部引締部の長さを収縮させることで側部堰板の下部を内側に引張り第１形状保持部材や第２形状保持部材を略中心としてハンチ梁と上部堰板等とのなす角を小さくすることができ、コンクリート躯体と側部堰板等との間に隙間を形成し容易に脱型することができ作業性に優れる。
（２）脱型時に下部引締部の長さを収縮させて側部堰板の下部を引張り、側部堰板を傾倒したままに維持することができるので、移動時にも側部堰板が拡がらずコンクリート躯体と擦れ合い難くコンクリート躯体や側部堰板を傷め難く施工性に優れる。
【００１６】
ここで、下部引締部としては、チェーンやワイヤ，金属棒等とターンバックルやウインチ等とを組み合わせたもの等の伸縮自在に形成されたものが用いられる。
【００１７】
本発明の請求項５に記載の発明は、請求項１乃至４の内いずれか１に記載のカルバート内型枠であって、対向する前記側部堰板又は前記側部枠の対角方向に１乃至複数本の対角引締部が配設された構成を有している。
この構成により、請求項１乃至４の内いずれか１で得られる作用に加え、以下のような作用が得られる。
（１）対向する側部堰板又は側部枠の対角方向に１乃至複数本の対角引締部が配設されているので、側部堰板，上部堰板等の位置関係や形状等を調整することができ、さらに打設されたコンクリートの荷重に耐えるように伸縮梁や支柱とともに側部堰板や上部堰板等を固定することができ施工性に優れる。
【００１８】
ここで、対角引締部としては、チェーンやワイヤ，金属棒等とターンバックルやウインチ等とを組み合わせたもの等を用いることができる。
【００１９】
本発明の請求項６に記載の発明は、請求項１乃至５の内いずれか１に記載のカルバート内型枠であって、前記支柱の上部又は前記上部梁と前記側部堰板又は前記側部枠の所定部との間に下がり止め部が配設された構成を有している。
この構成により、請求項１乃至５の内いずれか１で得られる作用に加え、以下のような作用が得られる。
（１）支柱の上部等と側部堰板等の所定部との間に下がり止め部が配設されているので、脱型時に傾動した側部堰板の自重によって第１形状保持部材やハンチ堰板等に加わる負荷を分散して軽減させることができ、第１形状保持部材やハンチ堰板等が破損するのを防止し耐久性に優れる。
【００２０】
ここで、下がり止め部としては、ワイヤ，チェーン，金属棒，それらとターンバックル等を組み合わせたもの等を用いることができる。
【００２１】
本発明の請求項７に記載の発明は、請求項１乃至６の内いずれか１に記載のカルバート内型枠であって、前記支保工が、前記側部堰板の側面から少なくとも一部が張り出すガイド手段が移動時に配設固定されるガイド手段固定部を備えた構成を有している。
この構成により、請求項１乃至６の内いずれか１で得られる作用に加え、以下のような作用が得られる。
（１）支保工が側部堰板の側面から少なくとも一部が張り出すガイド手段が移動時に配設固定されるガイド手段固定部を備えているので、移動時にはガイド手段を配設することでコンクリート躯体とガイド手段とは接触するが、コンクリート躯体と側部堰板とが擦れ合ってコンクリート躯体や側部堰板が損傷するのを防止することができ施工性に優れる。
【００２２】
ここで、ガイド手段としては、車輪，ローラ等を用いることができ、ガイド手段が側部堰板の側面から一部が張り出してコンクリート躯体と接触するように配設固定される。
ガイド手段固定部としては、移動時にカルバート内型枠の最後尾となる支保工の上部の所定部に形成されるのが好ましい。さらに、ガイド手段は、ガイド手段固定部に配設固定するのに加え、打設されたコンクリート躯体の出口側端面の上部で、移動するカルバート内型枠の側部堰板と接触するような位置に配設固定するのが好ましい。最少数量のガイド手段でカルバート内型枠の側部堰板とコンクリート躯体とが接触するのを防止できるからである。
【００２３】
本発明の請求項８に記載の発明は、請求項１乃至７の内いずれか１に記載のカルバート内型枠であって、前記上部堰板又は前記上部梁の幅方向の中心から下垂した下げ振りを備えた構成を有している。
この構成により、請求項１乃至７の内いずれか１で得られる作用に加え、以下のような作用が得られる。
（１）上部堰板又は上部梁の幅方向の中心から下垂した下げ振りを備えているので、コンクリート躯体の幅方向の中心の床部に長手方向に渡って基準線を設けておけば、カルバート内型枠を移動させて新たな内型枠として設置する際に、下げ振りと基準線とを合致させるようにカルバート内型枠の形状や位置を調整することで、カルバートの長手方向の全長に渡って躯体寸法や躯体形状を容易に同一にすることができ施工性に著しく優れる。
【００２４】
【発明の実施の形態】
以下、本発明の一実施の形態を、図面を参照しながら説明する。
（実施の形態１）
図１は、本発明の実施の形態１におけるカルバート内型枠のコンクリート打設時の状態を示す正面図であり、図２は図１のＡ部の要部拡大図であり、図３は図１のＢ部の要部拡大図であり、図４は図１のＣ部の要部拡大図であり、図５は図１のＤ部の要部拡大図であり、図６は実施の形態１におけるカルバート内型枠の移動時の状態を示す正面図であり、図７は実施の形態１におけるカルバート内型枠の移動時の状態を示す要部平面図であり、図８は実施の形態１におけるカルバート内型枠の移動時の状態を示す要部側面図である。
図１において、１は実施の形態１におけるカルバート内型枠、２は鳥居形足場の主枠等を高さ方向に複数接合して形成された支柱、３，３´は支柱２の下部又は上部に配設され支柱２を伸縮自在に形成する支柱２の一部をなすジャッキベース、４は長さ方向に複数接合されたパイプサポート等で伸縮自在に形成され支柱２の所定部に支柱２と略直交して複数固定された伸縮梁、４ａはＨ形鋼等で形成され支柱２の下部に支柱２と略直交して配設固定された下部補強部、５は支柱２に対角線状に複数配設固定された筋かい、６は支柱２の上部のジャッキベース３´で支持された梁うけ、７は梁うけ６の上側に固定された上部梁、８は上部梁７の上側に固定された上部堰板、９は支柱２と上部梁７とを緊締して固定する線条体等の緊締材、１０は伸縮梁４の両端で支持された側部枠の横ばた、１１は横ばた１０に固定された側部枠の縦ばた、１１´は縦ばた１１の内側に配設固定された横ばた、１１ａは横ばた１０，縦ばた１１，１１´を備えた側部枠、１１ｂは支柱２，伸縮梁４，下部補強部４ａ，筋かい５，梁うけ６，上部梁７，側部枠１１ａを備え組立てられた支保工である。
【００２５】
１２は側部枠１１ａの外側に固定された側部堰板、１３は弾性を有する木製，合成樹脂製，硬質ゴム製等で長尺状，塊状等に形成され上部梁７の端部の上部と上部堰板８の端部の下部との間の全長に渡って又は断続的に配設固定された第１形状保持部材、１４は第１形状保持部材１３に上端部が固定され上部堰板８の端部との間で第１形状保持部材１３を挟装するハンチ堰板、１５はハンチ堰板１４の下側に配設固定されたハンチ梁、１６は弾性を有する木製，合成樹脂製，硬質ゴム製等で長尺状，塊状等に形成されハンチ堰板１４の下端部と側部堰板１２の上端部との間の全長に渡って又は断続的に挟装された第２形状保持部材、１７は長さ方向に複数接合されたパイプサポート等で伸縮自在に形成され上部でハンチ梁１５を支持する控えである。本実施の形態においては、第１形状保持部材１３，第２形状保持部材１６の脱型時の弾性変形角が、０．０１〜０．１０°になるように形成されている。
【００２６】
１８，１８は支保工１１ｂの下部の下部補強部４ａの下側に所定間隔をあけて複数配設された車輪，ローラ等の移動手段、１９はコンクリートで打設されたカルバートの床部、２０は床部１９に車輪１８，１８の間隔で平行に配設されたＬ形鋼等で形成されたレール、２１，２１はカルバート内型枠１の長手方向の長さと同一かそれより長い長尺状に形成され床部１９にカルバートの躯体寸法の幅の間隔で平行して側部堰板１２及び側部枠１１ａの縦ばた１１の下部に各々配設固定され側部堰板１２及び側部枠１１ａの縦ばた１１の下部が摺接された側部堰板補助部、２２は伸縮梁４と略平行して側部枠１１ａの横ばた１０，１０間に水平に複数配設されたターンバックルとチェーン等の組合せ等からなる水平引締部、２３，２３は側部枠１１ａの下部の横ばた１１´と支保工１１ｂの支柱２の下部との間に配設されたターンバックルとチェーン等の組合せ等からなる下部引締部、２４，２４は対向する側部枠１１ａ，１１ａの横ばた１０，１１´間の対角方向に配設されたターンバックルとチェーン等の組合せ等からなる対角引締部、２５，２５は支柱２，２の上部と側部枠１１ａ，１１ａとの間に配設されたターンバックルとチェーン等の組合せ等からなる下がり止め部、２６は上部梁７の幅方向の中心から下垂された下げ振りである。
【００２７】
図２において、３０は上部堰板８，ハンチ堰板１４を貫通して第１形状保持部材１３が固定される釘や木ねじ等の補強部材、θ１は上部堰板８とハンチ堰板１４とのなす角と同一の角度に形成された第１形状保持部材１３の保持角である。実施の形態１においては、第１形状保持部材１３の保持角θ１における脱型時の弾性変形角が、０．０１〜０．１０°になるように形成されている。
図３、図４において、３１はハンチ堰板１４，側部堰板１２を貫通して第２形状保持部材１６が固定される釘や木ねじ等の補強部材、３２は横ばた１１´に当接する座金、３３は座金３２，横ばた１１´，縦ばた１１，側部堰板１２を貫設し側部堰板１２と図示しない外型枠とを所定間隔を空けて固定するフォームタイ等の型枠締め付け具、θ２は側部堰板１２とハンチ堰板１４とのなす角と同一の角度に形成された第２形状保持部材１６の保持角である。実施の形態１においては、第２形状保持部材１６の保持角θ２における脱型時の弾性変形角が、０．０１〜０．１０°になるように形成されている。
図５において、３４は複数の桟木を組合せて略直方体状に形成された側部堰板補助部２１の支持部、３５は側部堰板１２と同様の材質等で形成され支持部３４の下面と床部１９との間に配設された高さ調整部材、３６はブリキ等の金属製等の薄板等で形成され支持部３４の上面に配設固定された平滑部材、３７は支持部３４の外面側に側部堰板１２と同一面状に配設固定された補助堰板、３８は座金３２，支持部３４，補助堰板３７を貫設し補助堰板３７とコンクリート躯体の外壁を形成する図示しない外型枠とを所定間隔を空けて固定するフォームタイ等の型枠締め付け具である。
【００２８】
図６において、４０は側部堰板１２，１２、ハンチ堰板１４，１４、上部堰板８、側部堰板補助部２１と矩形状に形成された図示しない外型枠との間にコンクリートが打設され硬化して形成されたコンクリート躯体、４１，４１はカルバート内型枠１の支保工１１ｂの背面の上部両側の所定部に形成された後述するガイド手段固定部４３に一部が側部堰板１２，１２から側方に張り出して配設固定された車輪やローラ等のガイド手段、４２，４２は下部補強部４ａの両端と横ばた１１´，１１´の内側とに挟装され移動時の振動等で下部補強部４ａの両端と横ばた１１´，１１´とがぶつかり合うのを防止する間隔保持具である。
図７、図８において、２１´はカルバート内型枠１の移動先に側部堰板補助部２１と上面の高さを合わせて配設された側部堰板補助部、４３は移動時に最後尾となるカルバート内型枠１の支保工１１ｂの背面の所定部に形成されガイド手段４１が配設固定されたガイド手段固定部、４４はコンクリート躯体４０の前端面の側部上側に配設固定されカルバート内型枠１の側部堰板１２と少なくとも一部が接触する車輪やローラ等のガイド手段、４５は一端がカルバート内型枠１の支保工１１ｂの所定部に固定され他端側に図示しないウインチ等の牽引装置が配設されコンクリート躯体４０内をカルバート内型枠１を牽引して移動させるワイヤやチェーン等の牽引具、４６は端部が支保工１１ｂの所定部に固定され他端側に図示しないチェーンブロック等の揚重装置が配設され牽引具４５が切れた場合等にカルバート内型枠１がコンクリート躯体４０内を逆走するのを防止するワイヤやチェーン等の逆走防止具である。
【００２９】
以上のように構成された実施の形態１におけるカルバート内型枠について、以下その使用方法を説明する。
初めに、カルバート内型枠組立て工程において、カルバートを施工する整地された地盤や掘削溝の底部等にコンクリートを打設してカルバートの床部１９を形成する。次いで、形成された床部１９の幅方向の中心に長手方向に渡って基準線を形成する。次いで、施工するカルバートの躯体寸法に応じた長さにジャッキベース３，３´の長さを調整して床部１９の幅方向及び長手方向に複数本の支柱２を立設し、支柱２に伸縮梁４，移動手段１８が配設された下部補強部４ａ，筋かい５，梁うけ６，上部梁７を固定し箱状に支保工１１ｂを組立てていく。なお、床部１９を勾配のある傾斜地に形成した場合には、勾配の下方側に支保工１１ｂを組立てる。また、支柱２，伸縮梁４，下部補強部４ａ，筋かい５等の数量は、カルバートとなるコンクリート躯体の長手方向の長さや幅、高さ、躯体の厚さ等に応じて適宜選択することができる。次いで、床部１９の幅方向の両側に側部堰板補助部２１を載置するとともに、側部枠１１ａの下部が側部堰板補助部２１の上面に当接するように側部枠１１ａを伸縮梁４に固定する。上部梁７の端部に第１形状保持部材１３を固定し側部枠１１ａの上部に第２形状保持部材１６を固定した後、上部梁７や側部枠１１ａ等の支保工１１ｂの外側に上部堰板８，側部堰板１２を配設するとともに、第１形状保持部材１３と第２形状保持部材１６にハンチ梁１５が配設されたハンチ堰板１４を配設固定する。なお、側部堰板補助部２１の高さが低い場合には、支持部３４と床部１９との間に高さ調整部材３５を差し込んで、側部堰板補助部２１の補助堰板３７と側部堰板１２とを密接させる。次いで、控え１７を床部１９に立設してハンチ梁１５を支持するとともに、水平引締部２２，対角引締部２４を配設して引き締めてカルバート内型枠１の形状と寸法を調整する。次いで、下部引締部２３，下がり止め部２５，緊締材９，下げ振り２６を配設し、実施の形態１におけるカルバート内型枠１を組立てる。
組立てたカルバート内型枠１の外側に図示しない外型枠を配設した後、外型枠とカルバート内型枠１の横ばた１１´等の支保工１１ｂや側部堰板補助部２１との間に型枠締め付け具３３，３８を配設して、カルバート内型枠１の上部堰板８，側部堰板１２，ハンチ堰板１４と外型枠とを所定間隔に保持するとともに、カルバート内型枠１を外型枠内に固定する。
次いで、固定されたカルバート内型枠１と外型枠との間にコンクリートを打設して硬化させ、コンクリート躯体４０を形成する。
【００３０】
コンクリート躯体４０が形成された後、カルバート内型枠脱型工程において、初めに、カルバート内型枠１の移動先に側部堰板補助部２１と上面の高さを合わせて側部堰板補助部２１´を配設する。次いで、牽引具４５，逆送防止具４６の一端を下部補強部４ａ等の支保工１１ｂに固定する。次いで、伸縮梁４を伸縮自在にして伸縮梁４の両側が横ばた１０を押圧しないようにするとともに控え１７を収縮する。さらに型枠締め付け具３３を外した後、下部引締部２３を収縮させて側部堰板１２の下部を内側に引張り、側部堰板１２及び側部枠１１ａの下端部を側部堰板補助部２１の支持部３４の上面に配設された平滑部材３６の上を内側に摺動させる。ハンチ梁１５が控え１７で支持されておらず側部枠１１ａが伸縮梁４で外向きに押圧されていないので、第１形状保持部材１３と第２形状保持部材１６を略中心とするてこの作用により第１形状保持部材１３と第２形状保持部材１６の弾性に応じて第１形状保持部材１３と第２形状保持部材１６が圧縮変形し、ハンチ堰板１４と側部堰板１２や上部堰板８とのなす角を小さくすることができ側部堰板１２及びハンチ堰板１４とコンクリート躯体４０との間に隙間が形成される。さらに、側部堰板１２及び側部枠１１ａの下端部を、側部堰板補助部２１の支持部３４の幅より大きく摺動させて側部堰板補助部２１の支持から側部堰板１２及び側部枠１１ａを外すと、側部堰板１２等の下部が宙に浮いた状態になりハンチ堰板１４，ハンチ梁１５，側部堰板１２，側部枠１１ａ等の自重により、さらに第１形状保持部材１３や第２形状保持部材１６を圧縮変形させてハンチ堰板１４と側部堰板１２や上部堰板８とのなす角を小さくすることができ、脱型を容易にすることができる。端部が支柱２の上部に固定された下がり止め部２５は、側部堰板１２や側部枠１１ａ等の自重を支柱２の上部で吊り下げて、第１形状保持部材１３や第２形状保持部材１６等にかかる負担を軽減させる。
次いで、下部補強部４ａとカルバートの床部１９との間に図示しない油圧等のジャッキを複数配設し加圧して下部補強部４ａを上方へ押圧した後、支柱２の下部のジャッキベース３を収縮させて支柱２を収縮させ、カルバート内型枠１の全体をジャッキで保持する。次いで、レール２０を移動手段１８の下方及びカルバート内型枠１の移動先に連設した後、ジャッキの油圧等を抜いて移動手段１８をレール２０の上に着地させる。これにより、上部堰板８とコンクリート躯体４０との間の脱型が行われる。
【００３１】
カルバート内型枠移動工程において、カルバート内型枠１の支保工１１ｂの背面に形成されたガイド手段固定部４３にガイド手段４１を配設固定し、ガイド手段４１の少なくとも一部がコンクリート躯体４０の内壁と接触するようにする。さらに、コンクリート躯体４０の出口側端面の側部上側にガイド手段４４を配設固定し、ガイド手段４４の少なくとも一部がカルバート内型枠１の側部堰板１２と接触するようにする。
次いで、横ばた１１´と下部補強部４ａの端部との間に間隔保持具４２を挟装した後、逆送防止具４６を効かせながら牽引具４５を牽引して、所定の位置に来るまでカルバート内型枠１を移動させる。
【００３２】
所定の位置に移動させたカルバート内型枠１の形状や寸法を復元させるときには、カルバート内型枠復元工程において、下部補強部４ａとカルバートの床部１９との間に図示しない油圧等のジャッキを複数配設し加圧して下部補強部４ａを上方へ押圧した後、側部堰板１２の下部を内向きに拘束していた下部引締部２３を伸長した後に側部堰板１２の下部を外側に押し広げて、側部枠１１ａ及び側部堰板１２の下部を側部堰板補助部２１の上に載置する。次いで、支柱２の一部をなすジャッキベース３を伸長して支柱２を伸長させ脚部を着地させるとともに、控え１７も伸長して脚部を着地させた後、ジャッキの油圧等を抜いてカルバート内型枠１を床部１９に立設させる。次いで、伸縮梁４を伸長させて側部枠１１ａを押圧し、さらに水平引締部２２，対角引締部２４を引き締めて、下げ振り２６と床部１９に形成した基準線が合致するようにカルバート内型枠１の形状と寸法を調整する。さらに、ガイド手段固定部４３に配設固定されたガイド手段４１及びコンクリート躯体４０の端面に配設固定されたガイド手段４４を除去する。
【００３３】
以上のように、実施の形態１におけるカルバート内型枠は構成されているので、以下のような作用が得られる。
（１）上部堰板の端部とハンチ堰板の上部との間に挟装された弾性を有する第１形状保持部材を備えているので、脱型時に伸縮梁を収縮するとともに側部堰板の下部を内側に引張り、第１形状保持部材を略中心とするてこの作用により上部堰板とハンチ梁とのなす角を小さくして第１形状保持部材の弾性に応じて第１形状保持部材を圧縮させて、ハンチ堰板及び側部堰板とコンクリート躯体との間に隙間を形成し脱型させることができる。さらに、支柱を収縮することで上部堰板とコンクリート躯体との間にも隙間を形成することができ脱型を容易に行うことができる。
（２）支保工の下部に配設された移動手段を用いてコンクリート躯体内を移動させた後に形状を復元させるときには、支柱と伸縮梁を伸長するとともに側部堰板の下部に下部引締部で内向きに加えた力を除去することで、第１形状保持部材の弾性によりハンチ堰板とハンチ堰板とのなす角を元通りに修復して型枠の形状を容易に復元させることができ復元性に優れるとともに作業性に優れる。これにより、カルバートの長手方向の全長に渡って躯体寸法や躯体形状を同一にすることができ施工性に著しく優れる。
（３）ハンチ堰板の下部と側部堰板の上部との間に挟装された弾性を有する第２形状保持部材を備えているので、脱型時に側部堰板の下部を内側に引張り、第２形状保持部材を略中心とするてこの作用によりハンチ梁と側部堰板のなす角を小さくして第２形状保持部材の弾性に応じて第２形状保持部材を圧縮させて、側部堰板とコンクリート躯体との間により大きな隙間を形成し脱型を容易にすることができる。
（４）側部堰板とコンクリート躯体との間により大きな隙間を形成することができるので、脱型時に側部堰板の下部に内向きに加え側部堰板等を傾倒させる力を軽減することができ作業性に優れる。
（５）第１形状保持部材及び第２形状保持部材の脱型時の弾性変形角が、０．０１〜０．１０°になるように形成されているので、脱型時に生じるコンクリート躯体とハンチ堰板等との間に所定量の隙間を形成することができ脱型が容易にできるとともに、コンクリート躯体の長手方向を移動させるときにコンクリート躯体の内壁と型枠とが擦れ合うことなくコンクリート躯体や堰板を傷め難く、元の形状に容易に復元し復元性に優れる。
（６）側部堰板等の下部が摺接された側部堰板補助部を備えているので、脱型時に側部堰板の下部を軽微な力で内側に引張るだけで側部堰板等が摺動されて第１形状保持部材や第２形状保持部材を略中心としてハンチ梁と上部堰板等とのなす角を小さくすることができ、脱型が容易になり作業性に優れる。
（７）側部堰板等が側部堰板補助部を摺動して側部堰板補助部の上面から側部堰板等の下部が外れると、コンクリート躯体を形成するために立設された側部堰板と側部堰板補助部を加えた高さが側部堰板補助部の高さの分だけ低くなるので、支柱を収縮することで上部堰板とコンクリート躯体との間にも隙間を形成することができ脱型を容易に行うことができる。
（８）支持部の上面に平滑部材が配設固定されているので、側部堰板や側部枠の下部との摩擦係数を小さくして側部堰板補助部の上を摺動し易くすることができ、軽微な力で脱型とカルバート内型枠の変形を行うことができ作業性に優れる。
（９）側部枠等の下部と支保工の下部との間に下部引締部が配設されているので、脱型時に下部引締部の長さを収縮させることで側部堰板の下部を内側に引張り第１形状保持部材や第２形状保持部材を略中心としてハンチ梁と上部堰板等とのなす角を小さくすることができ、コンクリート躯体と側部堰板等との間に隙間を形成し容易に脱型することができ作業性に優れる。
（１０）脱型時に下部引締部の長さを収縮させて側部堰板の下部を引張り、側部堰板を傾倒したままに維持することができるので、移動時にも側部堰板が拡がらずコンクリート躯体と擦れ合い難くコンクリート躯体や側部堰板を傷め難く施工性に優れる。
（１１）対向する側部堰板又は側部枠の対角方向に１乃至複数本の対角引締部が配設されているので、側部堰板，上部堰板等の位置関係や形状等を調整することができ、さらに打設されたコンクリートの荷重に耐えるように伸縮梁や支柱とともに側部堰板や上部堰板等を固定することができ施工性に優れる。
（１２）支柱の上部等と側部堰板等の所定部との間に下がり止め部が配設されているので、脱型時に控えや側部堰板補助部によって支持されなくなったハンチ堰板や側部堰板等の自重によって第１形状保持部材やハンチ堰板等に加わる負荷を分散して軽減させることができ、第１形状保持部材やハンチ堰板等が破損するのを防止し耐久性に優れる。
（１３）側部堰板補助部の支持部の外面側に補助堰板が配設固定されているので、支持部で側部堰板等を支持するとともにコンクリートの打設面を美麗にし、さらに脱型を容易に行うことができる。
（１４）支保工がガイド手段固定部を備え側部堰板の側面から少なくとも一部が張り出すガイド手段が移動時に配設固定されるので、コンクリート躯体と側部堰板とが擦れ合ってコンクリート躯体や側部堰板が損傷するのを防止することができ施工性に優れる。
（１５）上部梁等の幅方向の中心から下垂した下げ振りを備えているので、コンクリート躯体の幅方向の中心の床部に長手方向に渡って基準線を設けておけば、カルバート内型枠を移動させて新たな内型枠として設置する際に、下げ振りと基準線とを合致させるようにカルバート内型枠の形状や位置を調整することで、カルバートの長手方向の全長に渡って躯体寸法や躯体形状を容易に同一にすることができ施工性に著しく優れる。
（１６）緊締材で支柱と上部堰板が固定された上部梁とを固定し一体化しているので、脱型時に大きな力のかかる上部堰板や上部梁が破損するのを防止し耐久性に優れる。
（１７）締結具で牽引するのに加え逆送防止具を備えているので、勾配のある傾斜地で施工する場合に牽引具が切断等した場合でも、カルバート内型枠がコンクリート躯体内を逆走するのを防止することができ安全性に優れる。
（１８）パイプサポート等の軽量部材で支柱や伸縮梁等を形成することにより、軽量化を図ることができクレーンや牽引車両等の大型機械等を用いずに人力等の軽微な力でもカルバート内型枠を移動させることができ施工性に優れる。特に、軽量にできるので、勾配３〜１３％程度の傾斜のある施工現場でも用いることができる。
（１９）型枠の支保工として従来より用いられている汎用品だけで作成することができるので、熟練度や特殊作業を要さず一般作業で施工することができ施工性に著しく優れる。
【００３４】
なお、実施の形態１においては、第１形状保持部材１３が上部堰板８とハンチ堰板１４とに挟装された場合について説明したが、カルバートの形状や大きさ等によっては、上部梁７やハンチ梁１５等に挟装される場合もある。この場合も同様の作用が得られる。
また、第２形状保持部材１６がハンチ堰板１４と側部堰板１２とに挟装された場合について説明したが、カルバートの形状や大きさ等によっては、ハンチ梁１５や側部枠１１ａ等に挟装される場合もある。この場合も同様の作用が得られる。
また、側部堰板補助部２１の支持部３４に金属製等の薄板等で形成された平滑部材３６が配設された場合について説明したが、支持部３４の全体を金属製等で形成し、側部堰板１２等と摺動し易くする場合もある。この場合も同様の作用が得られる。
また、勾配のある傾斜地ではなく床部が平坦地に形成された場合には、締結具で牽引する際、逆送防止具は用いなくてもよい。牽引具が切断等した場合でもカルバート内型枠がコンクリート躯体内を逆走するおそれがないからである。
【００３５】
【発明の効果】
以上のように、本発明のカルバート内型枠によれば、以下のような有利な効果が得られる。
請求項１に記載の発明によれば、
（１）上部堰板又は上部梁の端部とハンチ堰板又はハンチ梁の上部との間に挟装された弾性を有する第１形状保持部材を備えているので、脱型時に伸縮梁を収縮するとともに側部堰板の下部を内側に引張り、第１形状保持部材を略中心とするてこの作用により上部堰板とハンチ梁とのなす角を小さくして第１形状保持部材の弾性に応じて第１形状保持部材を圧縮させて、ハンチ堰板及び側部堰板とコンクリート躯体との間に隙間を形成し脱型させ、さらに支柱を収縮することで上部堰板とコンクリート躯体との間にも隙間を形成することができ脱型を容易に行うことができる施工性に優れたカルバート内型枠を提供することができる。
（２）支保工の下部に配設された移動手段を用いてコンクリート躯体内を移動させ新たな内型枠として設置するときには、支柱と伸縮梁を伸長するとともに側部堰板の下部に内向きに加えた力を除去するか外向に力を加えることで、第１形状保持部材の弾性によりハンチ堰板とハンチ堰板とのなす角を元通りに修復して型枠の形状を容易に復元させることができ復元性に優れるとともに作業性に優れる。これにより、カルバートの長手方向の全長に渡って躯体寸法や躯体形状を同一にすることができ施工性に著しく優れたカルバート内型枠を提供することができる。
【００３６】
請求項２に記載の発明によれば、請求項１の効果に加え、
（１）ハンチ堰板又はハンチ梁の下部と側部堰板又は側部枠の上部との間に挟装された弾性を有する第２形状保持部材を備えているので、脱型時に側部堰板の下部を内側に引張り、第２形状保持部材を略中心とするてこの作用によりハンチ梁と側部堰板のなす角を小さくして第２形状保持部材の弾性に応じて第２形状保持部材を圧縮させて、側部堰板とコンクリート躯体との間により大きな隙間を形成し脱型を容易にすることができる施工性に優れたカルバート内型枠を提供することができる。
（２）側部堰板とコンクリート躯体との間により大きな隙間を形成することができるので、脱型時に側部堰板の下部に内向きに加え側部堰板等を傾倒させる力を軽減することができ作業性に優れたカルバート内型枠を提供することができる。
【００３７】
請求項３に記載の発明によれば、請求項１又は２の効果に加え、
（１）側部堰板等の下部が摺接された側部堰板補助部を備えているので、脱型時に側部堰板の下部を軽微な力で内側に引張るだけで側部堰板等が摺動されて第１形状保持部材や第２形状保持部材を略中心としてハンチ梁と上部堰板等とのなす角を小さくすることができ、脱型が容易になり作業性に優れたカルバート内型枠を提供することができる。
（２）側部堰板等が側部堰板補助部を摺動して側部堰板補助部の上面から側部堰板等の下部が外れると、コンクリート躯体を形成するために立設された側部堰板と側部堰板補助部を加えた高さが側部堰板補助部の高さの分だけ低くなるので、支柱を収縮することで上部堰板とコンクリート躯体との間にも隙間を形成することができ脱型を容易に行うことができる施工性に優れたカルバート内型枠を提供することができる。
【００３８】
請求項４に記載の発明によれば、請求項１乃至３の内いずれか１の効果に加え、
（１）側部枠又は側部堰板の下部と支保工の下部との間に下部引締部が配設されているので、脱型時に下部引締部の長さを収縮させることで側部堰板の下部を内側に引張り第１形状保持部材や第２形状保持部材を略中心としてハンチ梁と上部堰板等とのなす角を小さくすることができ、コンクリート躯体と側部堰板等との間に隙間を形成し容易に脱型することができ作業性に優れたカルバート内型枠を提供することができる。
（２）脱型時に下部引締部の長さを収縮させて側部堰板の下部を引張り、側部堰板を傾倒したままに維持することができるので、移動時にも側部堰板が拡がらずコンクリート躯体と擦れ合い難くコンクリート躯体や側部堰板を傷め難く施工性に優れたカルバート内型枠を提供することができる。
【００３９】
請求項５に記載の発明によれば、請求項１乃至４の内いずれか１の効果に加え、
（１）対向する側部堰板又は側部枠の対角方向に１乃至複数本の対角引締部が配設されているので、側部堰板，上部堰板等の位置関係や形状等を調整することができ、さらに打設されたコンクリートの荷重に耐えるように伸縮梁や支柱とともに側部堰板や上部堰板等を固定することができ施工性に優れたカルバート内型枠を提供することができる。
【００４０】
請求項６に記載の発明によれば、請求項１乃至５の内いずれか１の効果に加え、
（１）支柱の上部等と側部堰板等の所定部との間に下がり止め部が配設されているので、脱型時に傾動した側部堰板の自重によって第１形状保持部材やハンチ堰板等に加わる負荷を分散して軽減させることができ、第１形状保持部材やハンチ堰板等が破損するのを防止し耐久性に優れたカルバート内型枠を提供することができる。
【００４１】
請求項７に記載の発明によれば、請求項１乃至６の内いずれか１の効果に加え、
（１）支保工が側部堰板の側面から少なくとも一部が張り出すガイド手段が移動時に配設固定されるガイド手段固定部を備えているので、移動時にはガイド手段を配設することでコンクリート躯体とガイド手段とは接触するが、コンクリート躯体と側部堰板とが擦れ合ってコンクリート躯体や側部堰板が損傷するのを防止することができ施工性に優れたカルバート内型枠を提供することができる。
【００４２】
請求項８に記載の発明によれば、請求項１乃至７の内いずれか１の効果に加え、
（１）上部堰板又は上部梁の幅方向の中心から下垂した下げ振りを備えているので、コンクリート躯体の幅方向の中心の床部に長手方向に渡って基準線を設けておけば、カルバート内型枠を移動させて新たな内型枠として設置する際に、下げ振りと基準線とを合致させるようにカルバート内型枠の形状や位置を調整することで、カルバートの長手方向の全長に渡って躯体寸法や躯体形状を容易に同一にすることができ施工性に著しく優れたカルバート内型枠を提供することができる。
【図面の簡単な説明】
【図１】実施の形態１におけるカルバート内型枠のコンクリート打設時の状態を示す正面図
【図２】実施の形態１におけるカルバート内型枠の移動時の状態を示す正面図
【図３】図１のＡ部の要部拡大図
【図４】図１のＢ部の要部拡大図
【図５】図１のＣ部の要部拡大図
【図６】図１のＤ部の要部拡大図
【図７】実施の形態１におけるカルバート内型枠の移動時の状態を示す要部平面図
【図８】実施の形態１におけるカルバート内型枠の移動時の状態を示す要部側面図
【符号の説明】
１  カルバート内型枠
２  支柱
３，３´  ジャッキベース
４  伸縮梁
４ａ  下部補強部
５  筋かい
６  梁うけ
７  上部梁
８  上部堰板
９  緊締材
１０，１１´  横ばた
１１  縦ばた
１１ａ  側部枠
１１ｂ  支保工
１２  側部堰板
１３  第１形状保持部材
１４  ハンチ堰板
１５  ハンチ梁
１６  第２形状保持部材
１７  控え
１８  移動手段
１９  床部
２０  レール
２１，２１´  側部堰板補助部
２２  水平引締部
２３  下部引締部
２４  対角引締部
２５  下がり止め部
２６  下げ振り
３０，３１  補強部材
３２  座金
３３  型枠締め付け具
３４  支持部
３５  高さ調整部材
３６  平滑部材
３７  補助堰板
３８  型枠締め付け具
４０  コンクリート躯体
４１  ガイド手段
４２  間隔保持具
４３  ガイド手段固定部
４４  ガイド手段
４５  牽引具
４６  逆走防止具
【図１】
2004250973.tif 000003
【図２】
2004250973.tif 000004
【図３】
2004250973.tif 000005
【図４】
2004250973.tif 000006
【図５】
2004250973.tif 000007
【図６】
2004250973.tif 000008
【図７】
2004250973.tif 000009
【図８】
2004250973.tif 000010